(57)【要約】【課題】アクセサリ機器の電池とカメラ本体の電池が共通種類であることを前提し、双方の電池を同時に使い切ることができ、長い動作時間を確保することができる撮像装置を提供する。【解決手段】カメラ本体１００を駆動する電池３と、カメラ本体１００に接続して使用するアクセサリ機器８０を駆動する電池８３は同じ種類である。システム制御部１、８１は、カメラ本体１００の駆動負荷とアクセサリ機器８０の駆動負荷の負荷比を算出する。また、システム制御部１、８１は、電池３と電池８３の残量比を算出する。そして、システム制御部１は、算出された残量比が負荷比と逆比になっているかどうか判断し、逆比になっていると判断された場合に、電池を入れ替えるように促すメッセージを情報表示部２７に表示する。【選択図】図３
2010117562.tif 000002
【特許請求の範囲】
【請求項１】
カメラ本体を駆動する第１の電池と、前記カメラ本体に接続して使用するアクセサリ機器を駆動する第２の電池が同じ種類である撮像装置において、
前記カメラ本体の駆動負荷と前記アクセサリ機器の駆動負荷の負荷比を算出する第１の算出手段と、
前記第１の電池と前記第２の電池の残量比を算出する第２の算出手段と、
前記第２の算出手段により算出された前記残量比が前記第１の算出手段により算出された前記負荷比と逆比になっているかどうか判断する判断手段と、
前記判断手段により逆比になっていると判断された場合に、前記第１の電池と前記第２の電池を入れ替えるように促すメッセージを表示する表示手段と、
を備えることを特徴とする撮像装置。
【請求項２】
前記カメラ本体の駆動負荷及び前記アクセサリ機器の駆動負荷は、それぞれの動作モードによって固有であることを特徴とする請求項１記載の撮像装置。
【請求項３】
カメラ本体を駆動する第１の電池と、前記カメラ本体に接続して使用するアクセサリ機器を駆動する第２の電池が同じ種類である撮像装置の制御方法において、
前記カメラ本体の駆動負荷と前記アクセサリ機器の駆動負荷の負荷比を算出する第１の算出ステップと、
前記第１の電池と前記第２の電池の残量比を算出する第２の算出ステップと、
前記第２の算出ステップにより算出された前記残量比が前記第１の算出ステップにより算出された前記負荷比と逆比になっているかどうか判断する判断ステップと、
前記判断ステップにより逆比になっていると判断された場合に、前記第１の電池と前記第２の電池を入れ替えるように促すメッセージを表示する表示ステップと、
を備えることを特徴とする撮像装置の制御方法。
【請求項４】
カメラ本体を駆動する第１の電池と、前記カメラ本体に接続して使用するアクセサリ機器を駆動する第２の電池が同じ種類である撮像装置の制御方法をコンピュータに実行させるプログラムにおいて、
前記撮像装置の制御方法は、
前記カメラ本体の駆動負荷と前記アクセサリ機器の駆動負荷の負荷比を算出する第１の算出ステップと、
前記第１の電池と前記第２の電池の残量比を算出する第２の算出ステップと、
前記第２の算出ステップにより算出された前記残量比が前記第１の算出ステップにより算出された前記負荷比と逆比になっているかどうか判断する判断ステップと、
前記判断ステップにより逆比になっていると判断された場合に、前記第１の電池と前記第２の電池を入れ替えるように促すメッセージを表示する表示ステップと、
を備えることを特徴とするプログラム。
【発明の詳細な説明】
【技術分野】
【０００１】
本発明は、複数の電池を使用する撮像装置、特に、カメラ本体に接続して使用するアクセサリ機器の電池とカメラ本体の電池が共通種類である撮像装置及びその制御方法、並びにプログラムに関するものである。
【背景技術】
【０００２】
従来から、長時間動作させるために、複数の電池を装着可能な撮像装置（カメラ）が知られており、負荷に接続されている電池の電圧が設定値以下に低下した場合には、異なる電池を負荷に接続するように切り替える技術が提案されている（特許文献１）。
【０００３】
また、片方の電池の電圧が低下した場合に、片方の電池から他の電池へ充電を行う技術も知られている（特許文献２）。
【特許文献１】実開平２−６５０５０号公報
【特許文献２】特開平６−１０５４７４号公報
【発明の開示】
【発明が解決しようとする課題】
【０００４】
従来の複数の電池を装着可能なカメラにおいては、電池によって動かす負荷は単一の装置であり、単一の負荷を複数の電池で切り替えて使用するといった構成であった。そのため、片方の電池容量がなくなっても、もう一方の電池を使用することによって、カメラを動作することが可能であった。
【０００５】
しかし、カメラ本体とアクセサリ機器がそれぞれ別個に電池を持っていて、カメラ本体の負荷はカメラ本体に装着された電池で駆動し、アクセサリ機器の負荷はアクセサリ機器に装着された電池で駆動する撮像装置については考慮されていない。
【０００６】
カメラ本体とアクセサリ機器がそれぞれ別個の電池で駆動する撮像装置においては、カメラ本体とアクセサリ機器の負荷が異なる場合、例えば、カメラ本体側の負荷が大きい場合には、どちらの電池も同じ容量から使い始めたとすると、以下の不具合がある。
【０００７】
即ち、上記の場合、カメラ本体側の電池容量が先になくなってしまうので、アクセサリ機器側の電池容量がまだ充分に残っていても撮像装置を動作させることができなくなってしまう。
【０００８】
本発明の目的は、アクセサリ機器の電池とカメラ本体の電池が共通種類であることを前提し、双方の電池を同時に使い切ることができ、長い動作時間を確保することができる撮像装置及びその制御方法、並びにプログラムを提供することにある。
【課題を解決するための手段】
【０００９】
上記目的を達成するために、請求項１記載の撮像装置は、カメラ本体を駆動する第１の電池と、前記カメラ本体に接続して使用するアクセサリ機器を駆動する第２の電池が同じ種類である撮像装置において、前記カメラ本体の駆動負荷と前記アクセサリ機器の駆動負荷の負荷比を算出する第１の算出手段と、前記第１の電池と前記第２の電池の残量比を算出する第２の算出手段と、前記第２の算出手段により算出された前記残量比が前記第１の算出手段により算出された前記負荷比と逆比になっているかどうか判断する判断手段と、前記判断手段により逆比になっていると判断された場合に、前記第１の電池と前記第２の電池を入れ替えるように促すメッセージを表示する表示手段とを備えることを特徴とする。
【００１０】
請求項３記載の撮像装置の制御方法は、カメラ本体を駆動する第１の電池と、前記カメラ本体に接続して使用するアクセサリ機器を駆動する第２の電池が同じ種類である撮像装置の制御方法において、前記カメラ本体の駆動負荷と前記アクセサリ機器の駆動負荷の負荷比を算出する第１の算出ステップと、前記第１の電池と前記第２の電池の残量比を算出する第２の算出ステップと、前記第２の算出ステップにより算出された前記残量比が前記第１の算出ステップにより算出された前記負荷比と逆比になっているかどうか判断する判断ステップと、前記判断ステップにより逆比になっていると判断された場合に、前記第１の電池と前記第２の電池を入れ替えるように促すメッセージを表示する表示ステップと備えることを特徴とする。
【００１１】
請求項４記載のプログラムは、カメラ本体を駆動する第１の電池と、前記カメラ本体に接続して使用するアクセサリ機器を駆動する第２の電池が同じ種類である撮像装置の制御方法をコンピュータに実行させるプログラムにおいて、前記撮像装置の制御方法は、プログラムは、前記カメラ本体の駆動負荷と前記アクセサリ機器の駆動負荷の負荷比を算出する第１の算出ステップと、前記第１の電池と前記第２の電池の残量比を算出する第２の算出ステップと、前記第２の算出ステップにより算出された前記残量比が前記第１の算出ステップにより算出された前記負荷比と逆比になっているかどうか判断する判断ステップと、前記判断ステップにより逆比になっていると判断された場合に、前記第１の電池と前記第２の電池を入れ替えるように促すメッセージを表示する表示ステップとを備えることを特徴とする。
【発明の効果】
【００１２】
本発明の撮像装置によれば、アクセサリ機器の電池とカメラ本体の電池が共通種類であることを前提し、双方の電池を同時に使い切ることができ、長い動作時間を確保することができる。
【発明を実施するための最良の形態】
【００１３】
以下、本発明を図面を参照しながら詳細に説明する。
【００１４】
図１は、本発明の実施の形態に係る撮像装置としてのデジタルカメラのブロック構成図である。
【００１５】
図１において、カメラ本体１００は、デジタル一眼レフカメラの形態をしており、絞り機能を備える交換可能な撮影レンズ９が装着可能となっている。
【００１６】
カメラ本体１００において、システム制御部１は、カメラ本体１００全体を制御するものであり、内部に、ＲＯＭ、ＲＡＭ、Ａ／Ｄ変換器、Ｄ／Ａ変換器、時計機能を有するマイクロコンピュータである。
【００１７】
このシステム制御部１にて、本発明に関わる電池残量（電池容量）比と駆動負荷比の演算や比較を行い、電池入れ替えのメッセージの表示等を内部プログラムにて処理及び制御する。
【００１８】
カメラ本体１００に装着される電池（第１の電池）３は、例えばリチウムイオン電池等が用いられる。電池３は、内部にマイクロコンピュータを搭載し、カメラ本体１００と相互通信を行い、電池情報をシステム制御部１に伝える。電池情報は、電池容量、電池電圧、放電電流、電池温度、等があり、システム制御部１に伝えられた電池情報は、メモリに記録（記憶）される。
【００１９】
コネクタ４、５は、装着する電池３とカメラ本体１００の接続部となるものであり、電池３の電源ラインと通信ラインを接続する。通信ラインは、システム制御部１に直接繋がり、システム制御部１は、電池装着の判断も行う。
【００２０】
測距制御部６は、撮影レンズ９のフォーカシングを制御するものであり、測距センサを含んで構成される。測距制御部６は、複数の測距点から選択された測距を行い、システム制御部１にて演算された絞り値（Ａｖ値）に合わせて撮影レンズ９の絞りを開閉する制御を、レンズ接続端子７、８を介して行う。
【００２１】
露光制御部１０は、シャッター１１を制御するものであり、測光センサを含んで構成され、システム制御部１にて演算されたシャッター秒時（Ｔｖ値）に合わせてシャッター１１の先幕１２と後幕１３を開閉する制御を行う。
【００２２】
例えばＣＣＤ等の撮像素子２０は、光学像を電気信号に変換する。Ａ／Ｄ変換器２１は、撮像素子２０のアナログ信号出力をデジタル信号に変換する。
【００２３】
タイミング発生部２２は、撮像素子２０や、Ａ／Ｄ変換器２１や、Ｄ／Ａ変換器２４にクロック信号や制御信号を供給するものであり、メモリ制御部２３及びシステム制御部１により制御される。
【００２４】
画像処理部２５は、Ａ／Ｄ変換器２１からのデータあるいはメモリ制御部２３からのデータに対して所定の画素補間処理や色変換処理を行う。
【００２５】
画像表示メモリ２６に書き込まれた表示用の画像データは、Ｄ／Ａ変換器２４を介してＴＦＴ型カラーＬＣＤ等からなる情報表示部２７により表示される。
【００２６】
情報表示部２７は、カメラ本体１００の背面に設置され、撮影後の確認画像を表示し、また、システム制御部１との通信によりさまざまな告知情報を表示する。本発明に関わる電池情報や電池入れ替えのメッセージは、この情報表示部２７に表示される。
【００２７】
画像データメモリ２８は、撮影した静止画像や付帯する撮影情報のコード化されたものを格納するためのものであり、所定枚数の静止画像を格納するのに十分な記憶量を備えている。
【００２８】
画像ファイル生成部２９は、画像データを圧縮伸長しファイル化する。画像ファイル生成部２９は、画像データメモリ２８に格納された画像を読み込んで圧縮処理あるいは伸長処理を行い、処理を終えたデータをコネクタ３１、３２を介して外部メモリ３０に書き込む。
【００２９】
外部メモリ３０は、フラッシュメモリカード等の規格に準拠したものを用いて構成される、例えば、カード型の取り外し可能なメモリである。
【００３０】
不揮発性メモリ４２は、ＥＥＰＲＯＭ等の電源供給が断たれても記憶を継続するメモリであり、撮影条件等のデータはここで格納される。
【００３１】
モードダイアル４３は、カメラ本体１００のさまざまな撮影モードを選択する。シャッタースイッチＳＷ１（４４）は、撮影開始を発動させるもので、シャッターボタンの操作途中でＯＮとなり撮影動作開始を指示する。
【００３２】
シャッタースイッチＳＷ２（４５）は、シャッターボタンの操作完了でＯＮとなり、撮像素子２０から読み出した信号を、画像処理部２５を経て外部メモリ３０に書き込む一連の撮影処理の動作開始を指示する。
【００３３】
ダイアルスイッチ４６は、撮影条件等を設定する回転型スイッチであり、例えば、Ｔｖ値やＡｖ値を、ダイアルスイッチ４６を回転させることにより設定する。
【００３４】
操作スイッチ４７は、カメラ本体１００の外装に設置された入力制御部であり、さまざまな撮影条件を決定するスイッチや撮影された画像の編集・閲覧を行うスイッチ等で構成される。
【００３５】
アクセサリ機器８０は、カメラ本体１００に接続して使用するもので、例えば、無線ＬＡＮグリップ等がある。システム制御部８１は、アクセサリ機器８０全体を制御するものであり、内部に、ＲＯＭ、ＲＡＭ、Ａ／Ｄ変換器、Ｄ／Ａ変換器、時計機能を有するマイクロコンピュータである。
【００３６】
このシステム制御部８１は、本発明に関わるアクセサリ機器８０の電池情報や負荷情報を、カメラ本体１００のシステム制御部１に通信する。
【００３７】
アクセサリ機器８０に装着される電池（第２の電池）８３は、カメラ本体１００に装着される電池３と同じ種類の電池であり、内部にマイクロコンピュータを搭載し、アクセサリ機器８０と相互通信を行い、電池情報をシステム制御部８１に伝える。
【００３８】
コネクタ８４、８５は、装着する電池８３とアクセサリ機器８０との接続部となるものであり、電池８３の電源ラインと通信ラインを接続する。通信ラインは、システム制御部８１に直接繋がり、システム制御部８１は、電池装着の判断も行う。
【００３９】
操作部８６は、アクセサリ機器８０の各種設定を行うためのでものあり、その設定状態が表示部８７に表示される。
【００４０】
コネクタ９１、９２は、カメラ本体１００とアクセサリ機器８０との接続部となるものであり、カメラ本体１００のシステム制御部１とアクセサリ機器８０のシステム制御部８１との通信ライン等が接続される。この通信ラインによって、アクセサリ機器８０の電池情報や負荷情報をカメラ本体１００のシステム制御部１に通信する。
【００４１】
次に、図２乃至図４を用いて、図１のデジタルカメラの具体的な動作について説明する。
【００４２】
図２は、図１におけるカメラ本体１００側の電池３及びアクセサリ機器８０側の電池８３の電池残量（電池容量）と動作時間との関係を表すグラフである。
【００４３】
図２（ａ）は、カメラ本体１００側の駆動負荷とアクセサリ機器８０側の駆動負荷が２対１であり、カメラ本体１００側の電池３とアクセサリ機器８０側の電池８３を入れ替えることなく使用した場合のグラフである。
【００４４】
（ア）がカメラ本体１００側の電池残量、（イ）がアクセサリ機器８０側の電池残量を示す。このグラフから分る通り、カメラ本体１００側の電池残量は、時間ｔ／２にて５０％に達し、時間ｔにて０％となる。一方、アクセサリ機器８０側の電池残量は、駆動負荷がカメラの１／２であるので、時間ｔにて５０％に達し、時間２ｔにて０％となる。
【００４５】
デジタルカメラ全体としてみた場合、時間ｔにおいて、アクセサリ機器８０側の電池容量は５０％残っているが、カメラ本体１００側の電池残量が０％となってしまうため、カメラ本体１００側の動作ができなくなってしまう。即ち、デジタルカメラ全体としてこれ以上使用することはできない。
【００４６】
図２（ｂ）は、カメラ本体１００側の駆動負荷とアクセサリ機器８０側の駆動負荷が２対１であり、本発明の動作によって、カメラ本体１００側の電池３とアクセサリ機器８０側の電池８３を入れ替えて使用した場合のグラフである。
【００４７】
（ア）がカメラ本体１００側の電池残量、（イ）がアクセサリ機器８０側の電池残量を示す。このグラフから分かる通り、時間２ｔ／３にてカメラ本体１００側の電池残量は３３％に達し、アクセサリ機器８０側の電池残量は６６％に達し、カメラ本体１００側の電池残量とアクセサリ機器８０側の電池残量の比が１対２となる。
【００４８】
即ち、電池残量の比が駆動負荷比の逆比となるので、カメラ本体１００側のシステム制御部１によって、後述する図４に示すように、情報表示部２７に電池入れ替えを促すメッセージが表示される。
【００４９】
このメッセージに従ってカメラ本体１００側の電池３とアクセサリ機器８０側の電池８３を、時間２ｔ／３で入れ替えた後は、それぞれの電池に対する駆動負荷が逆になるので、時間４ｔ／３で両方の電池残量が０％になるまで、デジタルカメラの使用が可能である。
【００５０】
ここでは、カメラ本体１００側の駆動負荷とアクセサリ機器８０側の駆動負荷が２対１であると仮定して説明したが、駆動負荷はそれぞれの動作モードによって変わるので、それぞれの動作モードによって固有の値として負荷比を算出する。
【００５１】
また、動作中の駆動負荷を算出する負荷算出手段（システム制御部）を備え、負荷算出手段によって算出された負荷値から負荷比を求めるような構成としてもよい。
【００５２】
図３は、図１のテジタルカメラによって実行される電池入れ替えメッセージ表示処理の手順を示すフローチャートである。図４は、図１における情報表示部２７に表示される電池入れ替えを促すメッセージ例を示す図である。
【００５３】
本処理は、図１におけるシステム制御部１とシステム制御部８１の制御の下に実行される。
【００５４】
図３において、デジタルカメラの使用が開始されると、システム制御部１及びシステム制御部８１は、カメラ本体１００及びアクセサリ機器８０の負荷情報を取得し、負荷比を算出する（ステップＳ３０１）。
【００５５】
次に、システム制御部１及びシステム制御部８１は、カメラ本体１００及びアクセサリ機器８０の電池情報を取得し、残量比を算出する（ステップＳ３０２）。
【００５６】
次に、ステップＳ３０１とステップＳ３０２で算出した負荷比と残量比から、残量比が負荷比の逆比になった場合には（ステップＳ３０３）、システム制御部１は、情報表示部２７に電池入れ替えを促すメッセージを表示させる（ステップＳ３０４）。
【００５７】
ここで、ステップＳ３０１は、カメラ本体１００の駆動負荷とアクセサリ機器８０の駆動負荷の負荷比を算出する第１の算出手段として機能する。
【００５８】
また、ステップＳ３０２は、第１の電池（電池３）と第２の電池（電池８３）の残量比を算出する第２の算出手段として機能する。
【００５９】
また、ステップＳ３０３は、第２の算出手段により算出された残量比が第１の算出手段により算出された負荷比と逆比になっているかどうか判断する判断手段として機能する。
【００６０】
また、ステップＳ３０４は、判断手段により逆比になっていると判断された場合に、第１の電池と第２の電池を入れ替えるように促すメッセージを表示する表示手段として機能する。
【００６１】
図４においては、「カメラ本体の電池とアクセサリ機器の電池を入れ替えて下さい」というメッセージを表示している。
【００６２】
このように、カメラ本体１００側の電池３とアクセサリ機器８０側の電池８３との残量比が、負荷比の逆比になった時点で電池を入れ替えるように情報表示部２７にメッセッジを表示させる。
【００６３】
これにより、メッセージが表示された時点で電池を入れ替えれば、双方の電池を同時に使い切ることができ、片方の電池を余すことなく、より長い時間、撮像装置を動作させることが可能となる。
【００６４】
また、本発明の目的は、以下の処理を実行することによっても達成される。即ち、上述した実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出す処理である。
【００６５】
この場合、記憶媒体から読み出されたプログラムコード自体が前述した実施の形態の機能を実現することになり、そのプログラムコード及び該プログラムコードを記憶した記憶媒体は本発明を構成することになる。
【００６６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６８】
更に、上述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６９】
【図１】本発明の実施の形態に係る撮像装置としてのデジタルカメラのブロック構成図である。
【図２】図１におけるカメラ本体１００側の電池３及びアクセサリ機器８０側の電池８３の電池残量（電池容量）と動作時間との関係を表すグラフである。
【図３】図１のテジタルカメラによって実行される電池入れ替えメッセージ表示処理の手順を示すフローチャートである。
【図４】図１における情報表示部２７に表示される電池入れ替えを促すメッセージ例を示す図である。
【符号の説明】
【００７０】
１００  カメラ本体
１  カメラ本体１００側のシステム制御部
３  カメラ本体１００側の電池
２７  情報表示部
８０  アクセサリ機器
８１  アクセサリ機器８０側のシステム制御部
８３  アクセサリ機器８０側の電池
【図１】
2010117562.tif 000003
【図２】
2010117562.tif 000004
【図３】
2010117562.tif 000005
【図４】
2010117562.tif 000006